(57)【要約】【課題】キャリッジが走査した際にキャリッジの走査に伴う気流を制御し、液体噴射ヘッドによる液体の噴射を安定させて画質を向上させることができる液体噴射装置を提供すること。【解決手段】記録媒体６に対して液体を吐出する液体噴射ヘッド７，８と、記録媒体に対面する記録媒体対向面に液体噴射ヘッド７，８が設けられたキャリッジ１と、キャリッジ１と記録媒体６とを相対移動させる移動手段２，３と、を備える液体噴射装置１００，１００ａであって、キャリッジ１には、キャリッジ１が移動した際に気流が当接する気流当接面Ｓ１等に、キャリッジ１の移動に伴う気流を制御する風力制御手段９９ｂ等が設けられていることを特徴とする液体噴射装置１００，１００ａ。【選択図】図１
2005119035.tif 000002
【特許請求の範囲】
【請求項１】
記録媒体に対して液体を吐出する液体噴射ヘッドと、
前記記録媒体に対面する記録媒体対向面に前記液体噴射ヘッドが設けられたキャリッジと、
前記キャリッジと前記記録媒体とを相対移動させる移動手段と、を備える液体噴射装置であって、
前記キャリッジには、前記キャリッジが移動した際に気流が当接する気流当接面に、前記キャリッジの移動に伴う気流を制御する風力制御手段が設けられていることを特徴とする液体噴射装置。
【請求項２】
前記風力制御手段は、整流用気流の噴射を行う整流用気流噴射手段であることを特徴とする請求項１に記載の液体噴射装置。
【請求項３】
前記風力制御手段は、前記キャリッジの移動に伴う気流の吸引を行う気流吸引手段であることを特徴とする請求項１に記載の液体噴射装置。
【請求項４】
前記移動手段は、前記キャリッジを前記記録媒体に対して往復するように移動させ、
前記風力制御手段は、前記キャリッジの両方の気流当接面にそれぞれ設けられていることを特徴とする請求項１ないし請求項３のいずれかに記載の液体噴射装置。
【請求項５】
前記キャリッジの相対移動方向を検出する移動方向検出手段を備え、
前記風力制御手段は、前記移動方向検出手段によって検出された前記キャリッジの相対移動方向に応じて、前記キャリッジの走査に伴う気流に当接する一方の前記気流当接面側のみが動作する構成であることを特徴とする請求項４に記載の液体噴射装置。
【請求項６】
前記液体噴射ヘッド、前記キャリッジ、前記移動手段及び前記風力制御手段を覆う蓋部材を備えることを特徴とする請求項１ないし請求項５のいずれかに記載の液体噴射装置。
【請求項７】
前記風力制御手段は、前記キャリッジの断面積に応じて設定された前記整流用気流を噴射する構成であることを特徴とする請求項６に記載の液体噴射装置。
【請求項８】
前記整流用気流は、前記断面積を有するキャリッジの移動幅に基づく体積の１／２０以上の体積の前記整流用気流を噴射する構成であることを特徴とする請求項７に記載の液体噴射装置。
【請求項９】
前記風力制御手段は、前記キャリッジの相対移動方向よりも前記記録媒体側に７５度傾斜した方向から前記キャリッジの相対移動方向までの間に、前記整流用気流を噴射する構成であることを特徴とする請求項１、請求項２、請求項４、請求項５、請求項６、請求項７又は請求項８のいずれかに記載の液体噴射装置。
【請求項１０】
前記風力制御手段は、前記キャリッジの相対移動方向よりも前記記録媒体とは逆方向に前記整流用気流を噴射する構成であることを特徴とする請求項１、請求項２、請求項４、請求項５、請求項６、請求項７、請求項８又は請求項９のいずれかに記載の液体噴射装置。
【請求項１１】
前記風力制御手段に接続されたダクトを備え、
前記風力制御手段は、前記整流用気流を前記ダクトを経由して噴射する構成であることを特徴とする請求項１、請求項２、請求項４、請求項５、請求項６、請求項７、請求項８、請求項９又は請求項１０のいずれかに記載の液体噴射装置。
【請求項１２】
前記キャリッジの相対移動速度を検出する速度検出手段を備え、
前記速度検出手段によって検出された前記キャリッジの相対移動速度に応じて、前記風力制御手段による前記整流用気流の噴射量を調整する噴射量調整手段を備えることを特徴とする請求項１、請求項２、請求項４、請求項５、請求項６、請求項７、請求項８、請求項９、請求項１０又は請求項１１のいずれかに記載の液体噴射装置。
【請求項１３】
前記風力制御手段は、前記風力制御手段に接続されたダクトを備え、前記風力制御手段がダクトを経由して前記キャリッジの移動に伴う気流を吸引する構成であることを特徴とする請求項１、請求項３、請求項４、請求項５又は請求項６のいずれかに記載の液体噴射装置。
【請求項１４】
前記キャリッジの相対移動速度を検出する速度検出手段を備え、
前記速度検出手段によって検出された前記キャリッジの相対移動速度に応じて、前記風力制御手段による前記キャリッジの移動に伴う気流の吸引量を調整する吸引量調整手段を備えることを特徴とする請求項１、請求項３、請求項４、請求項５、請求項６又は請求項１３のいずれかに記載の液体噴射装置。
【請求項１５】
前記ダクトの先端は、前記キャリッジが気流に当接する前記キャリッジの両方の気流当接面側にそれぞれ位置するように設けられていることを特徴とする請求項１１ないし請求項１４のいずれかに記載の液体噴射装置。
【請求項１６】
前記キャリッジの相対移動方向に応じて、前記気流が当接する一方の前記気流当接面に設けられた前記ダクトの先端のみから前記整流用気流を噴出するように切り替える噴射切替手段を備えることを特徴とする請求項１５に記載の液体噴射装置。
【請求項１７】
前記キャリッジの相対移動方向に応じて、前記気流が当接する一方の前記ダクトの先端のみから前記キャリッジの移動に伴う気流を吸引するよう切り替える吸引切替手段を備えることを特徴とする請求項１５に記載の液体噴射装置。
【発明の詳細な説明】
【技術分野】
【０００１】
本発明は、記録媒体に対して液体を噴射する液体噴射ヘッドを備える液体噴射装置に関するものである。
【背景技術】
【０００２】
インクジェット式記録装置は、キャリッジに記録ヘッドが搭載されており、キャリッジが記録媒体としてのメディアに対してある程度の隙間を保ちながら相対的に走査を行う構成となっている。記録ヘッドは、上述のようにキャリッジと共に記録媒体に対して相対的に走査されつつ、その記録媒体に対してインク滴を噴射する。キャリッジが走査する際には、キャリッジが排除する気流によってキャリッジ周辺では気流の乱れが生ずる（特許文献１参照）。
【特許文献１】特開２００２−２３４１５２号公報（図７）
【発明の開示】
【発明が解決しようとする課題】
【０００３】
ところが、このようにキャリッジの走査に伴う気流の乱れが生ずると、従来のインクジェット式記録装置では、キャリッジの走査に伴う気流がキャリッジの記録ヘッドと記録媒体との間に入り込み、記録ヘッドによるインク滴の噴射を不安定にし、画質が劣化してしまうという問題点があった。
そこで、本発明の目的は、上記課題を解消して、キャリッジが走査した際にキャリッジの走査に伴う気流を制御し、液体噴射ヘッドによる液体の噴射を安定させて画質を向上させることができる液体噴射装置を提供することである。
【課題を解決するための手段】
【０００４】
上述の目的は、第１の発明によれば、記録媒体に対して液体を吐出する液体噴射ヘッドと、前記記録媒体に対面する記録媒体対向面に前記液体噴射ヘッドが設けられたキャリッジと、前記キャリッジと前記記録媒体とを相対移動させる移動手段と、を備える液体噴射装置であって、前記キャリッジには、前記キャリッジが移動した際に気流が当接する気流当接面に、前記キャリッジの移動に伴う気流を制御する風力制御手段が設けられていることを特徴とする液体噴射装置により、達成される。
上記構成によれば、キャリッジの進行方向で気流が当接する気流当接面には風力制御手段が設けられているので、風力制御手段がキャリッジの移動に伴う気流を制御し、液体噴射ヘッドと記録媒体との間に入り込まないように導き、液体噴射ヘッドによる液体の噴射を安定させて画質を向上させることができる。
【０００５】
第２の発明は、第１の発明の構成において、前記風力制御手段は、整流用気流の噴射を行う整流用気流噴射手段であることを特徴とする。
上記構成によれば、キャリッジの進行方向で気流が当接する気流当接面には整流用気流の噴射を行う整流用気流噴射手段が設けられているので、整流用気流噴射手段が噴射した整流用気流でキャリッジの進行方向における上記気流を相殺し、キャリッジの移動に伴う気流が液体噴射ヘッドと記録媒体との間に入り込まないようにして、液体噴射ヘッドによる液体の噴射を安定させて画質を向上させることができる。
【０００６】
第３の発明は、第１の発明の構成において、前記風力制御手段は、前記キャリッジの移動に伴う気流の吸引を行う気流吸引手段であることを特徴とする。
上記構成によれば、キャリッジの進行方向で気流が当接する気流当接面には気流の吸引を行う気流吸引手段が設けられているので、気流吸引手段によってキャリッジの進行方向の気流を吸引することにより、キャリッジの進行方向における上記気流を減少させ、キャリッジの走査に伴う気流を液体噴射ヘッドと記録媒体との間に入り込まないように導くことができ、液体噴射ヘッドによる液体の噴射を安定させて画質を向上させることができる。
【０００７】
第４の発明は、第１の発明ないし第３の発明のいずれかの構成において、前記移動手段は、前記キャリッジを前記記録媒体に対して往復するように移動させ、前記風力制御手段は、前記キャリッジの両方の気流当接面にそれぞれ設けられていることを特徴とする。
上記構成によれば、キャリッジの相対移動方向における両方の気流当接面に風力制御手段がそれぞれ設けられているので、キャリッジが往復動作した場合においても、キャリッジの両方の進行方向において、風力制御手段の動作によってキャリッジの移動に伴う気流を相殺或いは減少させることができる。このようにすると、キャリッジの両方の進行方向における気流が相殺され或いは減少することにより、キャリッジの記録媒体対向面に設けられた液体噴射ヘッドと記録媒体との間に気流が生じないようにして液体噴射ヘッドによる液体の噴射を安定させ画質を向上することができる。
【０００８】
第５の発明は、第４の発明の構成において、前記キャリッジの相対移動方向を検出する移動方向検出手段を備え、前記風力制御手段は、前記移動方向検出手段によって検出された前記キャリッジの相対移動方向に応じて、前記キャリッジの走査に伴う気流に当接する一方の前記気流当接面側のみが動作する構成であることを特徴とする。
上記構成によれば、移動方向検出手段が検出したキャリッジの相対移動方向に応じて、気流が当接する一方の気流当接面に設けられた風力制御手段のみが動作するので、気流が当接しない側の面の風力制御手段の消費電力を抑制しつつ、気流が当接する気流当接面側においてキャリッジの移動に伴う気流を相殺或いは減少させることができる。このようにキャリッジの相対移動方向における気流が相殺され或いは減少することで、液体噴射装置は、キャリッジの記録媒体対向面に設けられた液体噴射ヘッドと記録媒体との間に気流が生じないようにして液体噴射ヘッドによる液体の噴射を安定させ画質を向上することができる。
【０００９】
第６の発明は、第１の発明ないし第５の発明のいずれかの構成において、前記液体噴射ヘッド、前記キャリッジ、前記移動手段及び前記風力制御手段を覆う蓋部材を備えることを特徴とする。
上記構成によれば、液体噴射装置が蓋部材を備えているので蓋部材の内部でキャリッジが走査すると、一見すると、キャリッジの移動に伴う気流が、キャリッジの記録媒体対向面に設けられた液体噴射ヘッドと記録媒体との間の気流に大きな影響を与えてしまいそうに見えるものの、この液体噴射装置は、風力制御手段を備えているので、風力制御手段がキャリッジの相対移動方向におけるキャリッジの走査に伴う気流を相殺する或いは減少させることができる。このようにキャリッジの相対移動方向における気流が相殺され或いは減少することにより、蓋部材を備える液体噴射装置においては、キャリッジの記録媒体対向面に設けられた液体噴射ヘッドと記録媒体との間に気流が生じないようにして液体噴射ヘッドによる液体の噴射を安定させ画質を向上することができる。
【００１０】
第７の発明は、第６の発明の構成において、前記風力制御手段は、前記キャリッジの断面積に応じて設定された前記整流用気流を噴射する構成であることを特徴とする。
第８の発明は、第７の発明の構成において、前記整流用気流は、前記断面積を有するキャリッジの移動幅に基づく体積の１／２０以上の体積の前記整流用気流を噴射する構成であることを特徴とする。
上記構成によれば、整流用気流として、上記断面積を有するキャリッジの移動幅に基づく体積の１／２０以上の体積の整流用気流を噴射しているので、蓋部材を備える液体噴射装置においても、風力制御手段が蓋部材内でキャリッジの相対移動方向におけるキャリッジの移動に伴う気流を好適に相殺して制御し、キャリッジ周囲の気流を安定させている。このように蓋部材を備えておりキャリッジの移動に伴う気流の影響を受けやすい液体噴射装置においても、キャリッジ周囲の気流を安定させることができるので、キャリッジの記録媒体対向面に設けられた液体噴射ヘッドと記録媒体との間に気流が生じないようにして液体噴射ヘッドによる液体の噴射を安定させ画質を向上することができる。
【００１１】
第９の発明は、第１の発明、第２の発明、第４の発明、第５の発明、第６の発明、第７の発明又は第８の発明のいずれかの構成において、前記風力制御手段は、前記キャリッジの相対移動方向よりも前記記録媒体側に７５度傾斜した方向から前記キャリッジの相対移動方向までの間に、前記整流用気流を噴射する構成であることを特徴とする。
上記構成によれば、風力制御手段がキャリッジの相対移動方向よりも記録媒体側に７５度傾斜した方向からキャリッジの相対移動方向までの範囲に整流用気流を噴射しているので、このように噴射した整流用気流でキャリッジの走査に伴う気流を相殺することができる。このため、液体噴射装置は、キャリッジの走査時においても、キャリッジの記録媒体対向面に設けられた液体噴射ヘッドと記録媒体との間の気流を抑制して画質を向上することができる。
【００１２】
第１０の発明は、第１の発明、第２の発明、第４の発明、第５の発明、第６の発明、第７の発明、第８の発明又は第９の発明のいずれかの構成において、前記風力制御手段は、前記キャリッジの相対移動方向よりも前記記録媒体とは逆方向に前記整流用気流を噴射する構成であることを特徴とする。
上記構成によれば、風力制御手段がキャリッジの相対移動方向よりも記録媒体とは逆方向に整流用気流を噴射しているので、風力制御手段が噴射した整流用気流がキャリッジの移動に伴う気流を記録媒体から離れる方向に導くことができる。このため、キャリッジの移動に伴う気流が、キャリッジに設けられた液体噴射ヘッドと記録媒体との間を通過しないようにして液体噴射ヘッドによる液体の噴射を安定させ画質を向上することができる。
【００１３】
第１１の発明は、第１の発明、第２の発明、第４の発明、第５の発明、第６の発明、第７の発明、第８の発明、第９の発明又は第１０の発明のいずれかの構成において、前記風力制御手段に接続されたダクトを備え、前記風力制御手段は、前記整流用気流を前記ダクトを経由して噴射する構成であることを特徴とする。
上記構成によれば、風力制御手段からダクトを経由して整流用気流を噴射しているので、ダクトを適切な位置に設ければ効率よくキャリッジの移動に伴う気流を相殺することができる。
【００１４】
第１２の発明は、第１の発明、第２の発明、第４の発明、第５の発明、第６の発明、第７の発明、第８の発明、第９の発明、第１０の発明又は第１１の発明のいずれかの構成において、前記キャリッジの相対移動速度を検出する速度検出手段を備え、前記速度検出手段によって検出された前記キャリッジの相対移動速度に応じて、前記風力制御手段による前記整流用気流の噴射量を調整する噴射量調整手段を備えることを特徴とする。
上記構成によれば、速度検出手段によって検出されたキャリッジの相対移動速度に応じて整流用気流の噴射量を調整する噴射量調整手段を備えているので、キャリッジの相対移動速度が変化した場合においても、風力制御手段が噴射する整流用気流の噴射量を適切に調整することができる。このため、液体噴射装置は、適切に噴射量が調整された整流用気流によりキャリッジの移動に伴う気流を相殺し、キャリッジの液体噴射ヘッドと記録媒体との間の気流に影響を与えず液体の噴射を安定させ、画質を向上させることができる。
【００１５】
第１３の発明は、第１の発明、第３の発明、第４の発明、第５の発明又は第６の発明のいずれかの構成において、前記風力制御手段は、前記風力制御手段に接続されたダクトを備え、前記風力制御手段がダクトを経由して前記キャリッジの走査に伴う気流を吸引する構成であることを特徴とする。
上記構成によれば、風力制御手段によりダクトを経由して気流を吸引しているので、ダクトを適切な位置に設ければより効率よくキャリッジの走査に伴う気流を相殺或いは減少させることができる。
【００１６】
第１４の発明は、第１の発明、第３の発明、第４の発明、第５の発明、第６の発明又は第１３の発明のいずれかの構成において、前記キャリッジの相対移動速度を検出する速度検出手段を備え、前記速度検出手段によって検出された前記キャリッジの相対移動速度に応じて、前記風力制御手段による前記キャリッジの走査に伴う気流の吸引量を調整する吸引量調整手段を備えることを特徴とする。
上記構成によれば、速度検出手段によって検出されたキャリッジの相対移動速度に応じて気流の吸引量を調整する吸引量調整手段を備えているので、キャリッジの相対移動速度が変化した場合においても、吸引量調整手段により吸引する気流の吸引量を適切に調整することができる。このため、液体噴射装置は、適切に調整された吸引量の吸引量調整手段によりキャリッジの移動に伴う気流を減少させ、キャリッジの液体噴射ヘッドと記録媒体との間の気流に影響を与えず液体の噴射を安定させ、画質を向上させることができる。
【００１７】
第１５の発明は、第１１の発明ないし第１４の発明のいずれかの構成において、前記ダクトの先端は、前記キャリッジが気流に当接する前記キャリッジの両方の気流当接面側にそれぞれ位置するように設けられていることを特徴とする。
上記構成によれば、ダクトの先端がキャリッジが気流に当接する両方の気流当接面に設けられているので、キャリッジの両相対移動方向において、ダクトの先端から整流用気流の噴射或いはキャリッジの走査に伴う気流の吸引を行うことで、キャリッジの移動に伴う気流を相殺或いは減少させることができ、キャリッジの液体噴射ヘッドと記録媒体との間の気流に影響を与えず液体の噴射を安定させ、画質を向上させることができる。
【００１８】
第１６の発明は、第１５の発明の構成において、前記キャリッジの相対移動方向に応じて、前記気流が当接する一方の前記気流当接面に設けられた前記ダクトの先端のみから前記整流用気流を噴出するように切り替える噴射切替手段を備えることを特徴とする。
上記構成によれば、気流が当接する一方のキャリッジの気流当接面に設けられたダクトの先端のみから整流用気流を噴出させる噴射切替手段を備えている。このため、噴射切替手段によりキャリッジの相対移動方向側における一方のダクトの先端から整流用気流を噴射するように制御することにより、気流に当接するキャリッジの気流当接面においてキャリッジの移動に伴う気流を制御して、キャリッジの移動に伴う気流がキャリッジの液体噴射ヘッドと記録媒体との間の気流に影響を与えず液体の噴射を安定させ、画質を向上させることができる。
【００１９】
第１７の発明は、第１５の発明の構成において、前記キャリッジの相対移動方向に応じて、前記気流が当接する一方の前記ダクトの先端のみから前記キャリッジの走査に伴う気流を吸引するよう切り替える吸引切替手段を備えることを特徴とする。
上記構成によれば、気流が当接する一方のダクトの先端のみからキャリッジの移動に伴う気流を吸引させるように切り替える吸引切替手段を備えている。このため、吸引切替手段によりキャリッジの気流当接面側においてキャリッジの移動に伴う気流を吸引するように切り替えて気流を制御することで、キャリッジの気流当接面側におけるキャリッジの移動に伴う気流がキャリッジの液体噴射ヘッドと記録媒体との間の気流に影響を与えず液体噴射装置による液体の噴射を安定させ、画質を向上させることができる。
【発明を実施するための最良の形態】
【００２０】
以下、この発明の適切な実施の形態を図面に基づいて説明する。
なお、以下に述べる実施の形態は、本発明の適切な具体例であるから、技術的に好ましい種々の限定が付されているが、本発明の範囲は、以下の説明において特に本発明を限定する旨の記載がない限り、これらの形態に限られるものではない。
【００２１】
＜第１実施形態＞
図１は、本発明の第１実施形態としての液体噴射装置が適用されたインクジェット式記録装置１００の構成例を示す斜視図であり、図２は、図１に示すインクジェット式記録装置１００を側面から見た場合の構成例を示す側面断面図である。
図１のインクジェット式記録装置１００は、例えば蓋６１により、その内部と外部が仕切られた構成となっており、図２に示すように蓋６１の内部がスペースＳＰを構成している。
【００２２】
図１の蓋６１の内部には、記録ヘッド７，８、キャリッジ１、タイミングベルト２、モータ３、ガイド部材４及び、気流制御手段の一例としてのファン９９を収容している。このファン９９についての詳細は後述する。このキャリッジ１は、タイミングベルト２に接続されており、モータ３の駆動によるタイミングベルト２の動作に応じて、ガイド部材４に案内されてプラテン５に平行にＸ１，Ｘ２方向に移動するように構成されている。
【００２３】
これらモータ３及びタイミングベルト２は、それぞれキャリッジ１を、記録媒体の一例としての記録用紙６に対してＸ１，Ｘ２方向に沿って少なくとも一方向に走査させる機能を有する。このキャリッジ１の幅としては、例えば４５ｃｍであり、キャリッジ１の高さは、例えば１５ｃｍである。ここで、キャリッジ１の相対移動速度の一例としての走査速度としては、例えば５０〜１００ｃｍ／ｓｅｃである。また、蓋６１を備えるインクジェット式記録装置１００におけるキャリッジ１を収容する図２のスペースＳＰの寸法としては、例えばＸ１，Ｘ２方向の幅が６０ｃｍであり、例えば高さが２５ｃｍである。
【００２４】
記録用紙６と対向するキャリッジ１の面（記録媒体対向面）には、印刷領域側（図中、左側）に黒インクを吐出する液体噴射ヘッドの一例としての記録ヘッド７が、また、非印刷領域側にカラー印刷用の記録ヘッド８が搭載されている。各記録ヘッド７，８は、それぞれ黒インクカートリッジ９、カラーインクカートリッジ１０から、インクの供給を受けて記録用紙６に液体の一例としてのインク滴を吐出して印刷するようになっている。これら記録ヘッド７，８は、それぞれ例えばＸ１，Ｘ２方向に垂直なノズルの配列方向に沿って複数の記録ヘッドを配列して構成されている。これら複数の記録ヘッドは、それぞれ印字幅が例えば１インチ（約２．５ｃｍ）である。
【００２５】
キャッピング装置１１は、黒インク用記録ヘッド７を封止するキャップ１２と、カラーインク用記録ヘッド８を封止するキャップ１３を同一のスライダに搭載している。これらキャップ１２及びキャップ１３は、それぞれが単独で駆動可能な２台の吸引ポンプ１４，１５からなるポンプユニット１６にチューブを介して接続されている。これらキャップ１２及びキャップ１３は、それぞれ記録ヘッド７，８のノズル開口面を封止できるサイズを備え、非印字時にはノズル開口を封止する構成となっている。また、これらキャップ１２及びキャップ１３は、それぞれクリーニング処理やインク充填操作時には、ポンプユニット１６の負圧を受けて記録ヘッド７，８からインクを強制的に排出させることができるように構成されている。
【００２６】
そして、キャップ１２，１３は、それぞれキャップ内に排出されてここに残留したインクを、効果的に図示しない廃インクタンクに排出するために、キャリッジ１の移動や、また駆動手段などにより開閉が制御される図示しない大気開放弁を介して大気に連通されている。また、キャッピング装置１１の近傍には、記録ヘッド７，８のノズル開口面を擦過する、ワイピングブレード１７を備えたクリーニングユニット１８が配置されている。
【００２７】
本発明の第１実施形態において特徴的なことは、キャリッジ１がその相対移動方向の一例としての走査方向であるＸ１方向に走査（移動）した際に気流が当接する気流当接面の一例としての側面Ｓ１（以下、気流当接面として「側面」を例示する）に、キャリッジ１の走査に伴う気流を制御する風力制御手段の一例としてのファン９９ｂ（９９）が設けられていることである。この風力制御手段としては、ファン以外でも、気流を押したり引いたりする機能を有するものであればどのような手段を採用しても良いことはいうまでもない。
【００２８】
また、第１実施形態においては、その代わりに或いは併せて、図１や図２に示すようにキャリッジ１が走査方向であるＸ２方向に走査した際に、気流が当接する気流当接面の一例としての側面Ｓ２に、キャリッジ１の走査に伴う気流を制御する風力制御手段の一例としてのファン９９ａ（９９）が設けられていても良い。これらファン９９ａ，９９ｂとしては、それぞれ例えばロータリーファンを採用することができる。以下の構成に関する説明では、主として側面Ｓ１にファン９９ｂが設けられていることを例示する。
【００２９】
このような構成とすると、キャリッジ１の進行方向で気流が当接する側面Ｓ１等には風力制御手段の一例としてのファン９９ｂ等が設けられているので、ファン９９ｂ等がキャリッジ１の走査に伴う気流を制御し、記録ヘッド７，８と記録用紙６との間に入り込まないように導き、記録ヘッド７，８によるインクの噴射を安定させて画質を向上させることができる。
【００３０】
ここで、上記ファン９９ｂ等は、それぞれ整流用気流の噴射を行う整流用気流噴射手段であるのが望ましい。このような構成とすると、キャリッジ１の進行方向で気流ＳＫが当接する側面Ｓ１には整流用気流ＳＫの噴射を行うファン９９ｂ等が設けられているので、ファン９９ｂ等が噴射した整流用気流ＳＫでキャリッジ１の進行方向における上記気流を相殺し、キャリッジ１の走査に伴う気流が記録ヘッド７，８と記録用紙６との間に入り込まないようにして、記録ヘッド７，８によるインクの噴射を安定させて画質を向上させることができる。
【００３１】
また、上記ファン９９ｂ等は、それぞれキャリッジ１の走査に伴う気流の吸引を行う気流吸引手段であってもよい。このような構成とすると、キャリッジ１の進行方向で気流が当接する気流当接面の一例としての側面Ｓ１には気流の吸引を行う気流吸引手段の一例としてのファン９９ｂ等が設けられているので、ファン９９ｂ等が噴射した整流用気流ＳＫでキャリッジ１の進行方向における上記気流を減少させ、キャリッジ１の走査に伴う気流が記録ヘッド７，８と記録用紙６との間に入り込まないようにして、記録ヘッド７，８によるインクの噴射を安定させて画質を向上させることができる。
【００３２】
また、本実施形態においては、ファン９９ａ，９９ｂは、キャリッジ１が気流に当接する気流当接面の一例としての側面Ｓ１，Ｓ２側の一方のみが動作するのが望ましい。
このような構成とすると、キャリッジ１が往復動作した場合においても、キャリッジ１の走査方向における両方の気流当接面Ｓ２，Ｓ１にそれぞれファン９９ａ，９９ｂが設けられているので、キャリッジ１の走査方向であるＸ１方向及びＸ２方向において、キャリッジ１の走査に伴う気流を相殺或いは減少させることができる。このようにすると、キャリッジ１の記録媒体対向面に設けられた記録ヘッド７，８と記録用紙６との間に気流が生じないようにして、記録ヘッド７，８によるインクの噴射を安定させ画質を向上させることができる。
【００３３】
図３は、図１に示すインクジェット式記録装置１００の動作を制御する制御装置の構成例を示すブロック図である。
印刷制御手段２０は、ホストからの印刷データに基づいて、例えばビットマップデータを生成し、このデータに基づいてヘッド駆動手段２１により駆動信号を発生させて、記録ヘッド７，８からインク滴を吐出させるものである。
ヘッド駆動手段２１は、印刷データに基づく駆動信号の他に、例えば目詰まり解消やメニスカス調整のために圧力発生室を加圧してインク滴を吐出させる操作、いわゆるフラッシング操作のための駆動信号を記録ヘッド７，８に出力するように構成されている。
【００３４】
モータ駆動手段２２は、印刷制御手段２０からの信号を受けてキャリッジ１を記録用紙６の幅方向に一定速度で往復移動させるほか、ワイピング時にはワイピング制御手段２３の制御を受けて記録ヘッド７，８をワイピング可能な距離だけ移動させるものである。
【００３５】
クリーニング制御手段２５は、電源スイッチ検出手段３３により電源の投入が検出された場合や、またクリーニング（ＣＬ）検出手段２６からの信号により、吸引タイマ２７により規定された吸引強度、吸引時間、吸引インターバルに基づいてポンプ駆動手段２８を制御して、各吸引ポンプ１４、１５を所定の速度で回転駆動させ、またワイピングが必要な場合にはワイパー駆動手段２９に信号を出力して、ワイピングブレード１７を記録ヘッド７，８の移動経路に進出させるものである。
【００３６】
フラッシング制御手段３０は、印刷動作が一定時間継続して印刷制御手段２０からフラッシング指令が出力された場合、及びクリーニング制御手段２５からの吸引終了信号が出力し、かつ後述するフラッシング保留タイマ３１からのタイムアップ信号が出力している場合に、印刷制御手段２０により記録ヘッド７，８をフラッシング位置、通常はキャッピング装置１１のキャップ１２，１３と一定の間隙をもって対向する位置に移動させて、目詰まりの防止や、目詰まり解消のために各記録ヘッド７，８の全てのノズル開口から所定滴数のインク滴を吐出させる。
【００３７】
フラッシング保留タイマ３１は、記録ヘッド７，８に負圧を作用させて記録ヘッド７，８から強制的にインクを排出させたり、またワイピングブレード１７にノズル開口面を擦過する等のクリーニング工程が終了した段階で計時動作を開始し、クリーニング工程で記録ヘッド７，８のノズル開口近傍に生じた気泡を自然消滅、または縮小させるに要する時間を計時した段階でタイムアップするように構成されている。フラッシング保留タイマ３１のタイムアップ信号は報知手段３２に出力され、フラッシング保留が終了したことを、例えばパネル等に設けられているクリーニング動作中を表示する表示手段の表示形態を変更させてユーザに知らせるようになっている。
【００３８】
電源スイッチ（ＳＷ）検出手段３３は、パネル面に設けられた電源オン−オフ指令スイッチ３４の操作を検出し、装置全体に駆動電力を供給したり、また電源オフが指令された場合には所定の処理が終了した段階で装置への駆動電力を遮断するものである。なお、図中符号３５は、図示しないケースの制御パネルに設けられたクリーニング指令スイッチを示す。
【００３９】
さらに、本発明の第１実施形態において特徴的なことは、風力制御手段の一例としてのファン制御手段９９ｘが設けられていることである。このファン制御手段９９ｘは、図１に示すＸ１方向に面する側面Ｓ１に設けられたファン９９ｂ及び／又は側面Ｓに設けられたファン９９ａの動作を制御し、キャリッジ１の走査に伴う気流を制御する機能を有する。具体的には、このファン制御手段９９ｘは、上述のようにファン９９ａ，９９ｂのいずれか又は両方に対して、整流用気流を噴射させたり、キャリッジ１の走査に伴う気流を吸引するように動作させるように制御する機能を有する。
【００４０】
ここで、ファン制御手段９９ｘは、キャリッジ１の断面積に応じて設定された整流用気流ＳＫを噴射するように、ファン９９ｂ等を制御する構成であることが望ましい。そしてさらに、このファン制御手段９９ｘは、上記断面積を有するキャリッジ１の移動幅に基づく体積の１／２０以上の体積の整流用気流ＳＫを噴射するように、ファン９９ｂ等を制御するのが望ましい。
図１に示すように蓋６１を備えるインクジェット式記録装置１００においては、キャリッジ１の走査に伴う気流が、一見すると、キャリッジ１の記録媒体対向面に設けられた記録ヘッド７，８と記録用紙６との間の気流に影響を与えそうに見える。
【００４１】
しかし、上述のような構成とすると、このインクジェット式記録装置１００は、上記断面積を有するキャリッジ１の移動幅に基づく体積の１／２０以上の体積の整流用気流ＳＫを噴射しているので、ファン９９ａ等が蓋６１内においてキャリッジ１の走査方向におけるキャリッジ１の走査に伴う気流を相殺して制御することができる。このようにキャリッジ１の走査方向における気流が相殺されることにより、蓋６１を備えていることからキャリッジ１の走査に伴う気流の影響を受けやすいインクジェット式記録装置１００においても、キャリッジ１の記録媒体対向面に設けられた記録ヘッド７，８と記録用紙６との間に気流が生じないようにして記録ヘッド７，８によるインクの噴射を安定させ画質を向上することができる。
【００４２】
また、ファン９９ａ等は、図４に示すようにキャリッジ１の走査方向であるＸ２方向よりも記録用紙６側であってキャリッジ１の走査方向に対して７５度まで傾斜した方向からキャリッジ１の走査方向までの間の角度（図示角度θ度に相当）に、上記整流用気流ＳＫを噴出する構成であるのが望ましい。
このような構成とすると、インクジェット式記録装置１００は、キャリッジ１がＸ２方向に走査してキャリッジ１の走査に伴う気流Ｋが発生した場合において、ファン９９ａ等が噴射した整流用気流ＳＫの作用によって、キャリッジ１の走査に伴う気流Ｋの流路を変更することで、キャリッジ１の記録媒体対向面に設けられた記録ヘッド７，８と記録用紙６との間に気流が生じないようにして記録ヘッド７，８によるインクの噴射を安定させ画質を向上することができる。
【００４３】
インクジェット式記録装置１００は以上のような構成であり、次に上記図１〜図４を参照しつつその動作例について簡単に説明する。
図５（Ａ）及び図５（Ｂ）は、それぞれ記録用紙６に対して相対的に移動するキャリッジ１の走査に伴う気流Ｋの流路の一例を示す側面図及び底面図である。尚、この動作例においては、キャリッジ１の気流当接面の一例としての側面Ｓ２に風力制御手段の一例としてのファン９９ａを設け、このファン９９ａがキャリッジ１の走査方向に沿って整流用気流ＳＫを噴射することを例示する。
【００４４】
まず、上記インクジェット式記録装置１００においては、印刷データの受付が可能となった状態で、図３に示すように図示しないホストから印刷信号が入力されると、例えばフラッシング制御手段３０の制御によってヘッド駆動手段３１を駆動し、印刷開始前フラッシング動作を実行する。次に、このインクジェット式記録装置１００では、上記印刷開始前フラッシングの終了後に、印刷制御手段２０の制御によってヘッド駆動手段２１を駆動し、印刷動作を開始する。
【００４５】
このインクジェット式記録装置１００においては、モータ駆動手段２２の制御によってモータ３が駆動され、モータ３が駆動されることでタイミングベルト２がキャリッジ１を、Ｘ１方向やＸ２方向に走査させる。ここで、キャリッジ１は、図５（Ａ）に示すように記録用紙６に対して相対的にＸ２方向に走査するように駆動されたものとする。このキャリッジ１には、上述のように記録用紙６に対面する記録媒体対向面に記録ヘッド７，８が設けられている。
【００４６】
このようにＸ２方向にキャリッジ１が走査すると、キャリッジ１は、その走査に伴い記録用紙６に対して相対的に気流Ｋが発生する。ここで、このインクジェット式記録装置１００において特徴的なことは、例えばキャリッジ１の側面Ｓ２に設けられた風力制御手段の一例としてのファン９９ａが、キャリッジ１の走査方向であるＸ２方向に沿って整流用気流ＳＫを噴射する整流用気流噴射手段であることである。このようにファン９９ａが整流用気流ＳＫを噴射することにより、キャリッジ１の走査に伴う気流Ｋが相殺されて、例えばキャリッジ１の上方を通過し、図５（Ｂ）に示すように記録ヘッド７，８と記録用紙６との間を通過しないようになる。
【００４７】
本発明の第１実施形態によれば、キャリッジ１の進行方向で気流が当接する気流当接面の一例としての側面Ｓ２等には、風力制御手段の一例としてのファン９９ａ等が設けられているので、ファン９９ａ等がキャリッジ１の走査に伴う気流を制御し、記録ヘッド７，８と記録用紙６との間に入り込まないように導き、記録ヘッド７，８によるインクの噴射を安定させて画質を向上させることができる。
【００４８】
＜第１実施形態の変形例＞
図６（Ａ）及び図６（Ｂ）は、本発明の第１実施形態の変形例としての液体噴射装置が適用されたインクジェット式記録装置１００ａの一部の構成例を示す側面図及び底面図である。
このインクジェット記録装置１００ａのキャリッジ１においては、上記構成と異なり、図６（Ａ）に示す各ファン９９ａ等が、記録用紙６とは逆方向に整流用気流ＳＫを噴射する構成となっている。
【００４９】
具体的には、ファン９９ａ等は、それぞれ、キャリッジ１の側面Ｓ１等に、例えばキャリッジ１の走査方向であるＸ１方向等に対してほぼ垂直方向となるように設けられている。このような構成とすると、整流用気流ＳＫの噴射により、図６（Ａ）に示すようにキャリッジ１の走査に伴う気流Ｋがキャリッジ１の上方を通過するようになり、図６（Ｂ）に示すようにキャリッジ１の走査に伴う気流Ｋが、記録ヘッド７，８と記録用紙６との間を通過せず、記録ヘッド７，８と記録用紙６との間に気流を発生しないようにすることができる。
尚、この第１実施形態の変形例では、各ファン９９ａ等が整流用気流ＳＫを噴射する構成となっているがこれに限られず、キャリッジ１の走査に伴う気流Ｋを吸引する構成であっても良いことはいうまでもない。
【００５０】
＜第２実施形態＞
図７は、本発明の第２実施形態としての液体噴射装置が適用されたインクジェット式記録装置のキャリッジ１ａの構成例を示す斜視図である。
本発明の第２実施形態としてのインクジェット式記録装置では、図１〜図６において第１実施形態としてのインクジェット式記録装置１００と同一の符号を付した箇所はほぼ同じ構成であるから、同一の構成は図１〜図６と共通の符号を用いてその説明を省略し、異なる点を中心として説明する。
【００５１】
第２実施形態では、第１実施形態においてファンがキャリッジの側面に設けられていたのに対して、ファン９９からの整流用気流ＳＫが、側面Ｓ２等に設けられたダクト９３ａ，９３ｂを経由して先端９４ａ，９４ｂのいずれか又は両方から噴射される構成となっている点が異なっている。尚、第２実施形態では、第１実施形態と同様に、ファンによりキャリッジの走査に伴う気流に対して整流用気流を噴射する代わりに、その気流Ｋを吸引する構成としても良いことはいうまでもない。つまり、風力制御手段の一例としてのファン９９ａ、ダクト９３ａ及び先端９４ａ並びに、ファン９９ｂ、ダクト９３ｂ及び先端９４ｂは、それぞれ、例えばキャリッジ１ａの走査に伴う気流の吸引を行う気流吸引手段を構成している。
【００５２】
以下の第２実施形態の説明では、整流用気流ＳＫを噴射することを例示する。
ここで、ファン９９は、ダクト９３ａ或いはダクト９３ｂに連通し、一方のダクト９３ａ，９３ｂのいずれかに整流用気流ＳＫを提供する構成であっても良いし、図示のようにダクト９３ａ及びダクト９３ｂの両方に連通し、両方のダクト９３ａ等に整流用気流ＳＫを提供する構成であっても良い。
【００５３】
図８は、本発明の第２実施形態におけるインクジェット式記録装置の制御装置の構成例を示すブロック図である。尚、図８に示すブロック図は、図３に示すブロック図とほぼ同様の構成であるので、同一の構成は同一の符号を付してその説明を省略し、以下異なる点を中心として説明する。
図８に示す構成においては、図３に示す構成とは、ファン制御手段９９が１つのファン９９のみを制御する点及び、検出手段３９を備えている点が異なっている。
【００５４】
検出手段３９は、例えばモータ駆動手段２２の駆動制御状態を検出することで、モータ駆動手段２２によって駆動されるモータ３が動作させるキャリッジ１ａの走査速度を検出する機能を有する。検出されたキャリッジ１ａの走査速度は、ファン制御手段９９に引き渡される。また、この検出手段３９は、併せてキャリッジ１ａの走査方向を検出し、ファン制御手段９９ｙに引き渡すようにしても良い。
【００５５】
また、このファン制御手段９９ｙは、好ましくは検出手段３９からのキャリッジ１の走査速度に応じて整流用気流ＳＫの噴射量を調整するようにファン９９を制御しても良い。尚、キャリッジ１ａの走査に伴う気流Ｋを吸引する場合においても、検出手段３９からのキャリッジ１ａの走査速度に応じて整流用気流ＳＫの噴射量を調整するようにしても良い。この際、ファン制御手段９９ｙは、キャリッジ１ａの走査方向については検出手段３９から引き渡されることで把握している。
【００５６】
第２実施形態としてのインクジェット式記録装置のキャリッジ１ａは以上のような構成であり、次に図１〜図８を参照しつつその動作例について説明する。
図９（Ａ）及び図９（Ｂ）は、それぞれキャリッジ１ａの走査に伴う気流Ｋを相殺させる或いは減少する様子の一例を示す側面図である。尚、図９（Ａ）は、整流用気流ＳＫを噴射する場合を示し、図９（Ｂ）は、気流Ｋを吸引する場合を示している。
【００５７】
図９（Ａ）に示すようにキャリッジ１ａの走査に伴う気流Ｋは、同様に、ファン９９からの整流用気流ＳＫがダクト９３ｂを経由して先端部９４ｂから噴射されることにより相殺され、図示のように流路が変更される。このため、記録ヘッド７，８と記録用紙６との間に気流を生じさせないようにすることができる。
また、図９（Ｂ）に示すようにキャリッジ１ａの走査に伴う気流Ｋは、先端部９４ｂからダクト９３ｂを経由してファン９９によって吸引されることにより、記録ヘッド７，８と記録用紙６との間の気流に影響を与えないようにしても良い。
【００５８】
本発明の第２実施形態によれば、第１実施形態とほぼ同様の効果を発揮することができるとともに、これに加えて、図８に示すファン制御部９９ｙを備えているので、キャリッジ１ａの走査速度が変化した場合においても、ファン９９ａ等により噴射する整流用気流ＳＫの噴射量を適切に調整し、キャリッジ１ａの走査に伴う気流Ｋが、キャリッジ１ａに設けられた記録ヘッド７，８と記録用紙６との間の気流に影響を与えないようにすることができる。また、キャリッジ１ａの走査に伴う気流を吸引する量を調整する構成とすると、キャリッジ１ａの走査速度が変化した場合においても、ファン９９ａ等により吸引する気流の量を適切に調整し、キャリッジ１ａの走査に伴う気流Ｋがキャリッジ１ａに設けられた記録ヘッド７，８と記録用紙６との間の気流に影響を与えないようにすることができる。
【００５９】
＜第３実施形態＞
図１０は、本発明の第３実施形態としての液体噴射装置が適用されたインクジェット式記録装置の制御装置の構成例を示すブロック図である。
本発明の第３実施形態としてのインクジェット式記録装置は、第２実施形態としてのインクジェット式記録装置とほぼ同様の構成であるので、同一の構成は図１〜図９と同一の符号を付してその説明を省略し、以下、異なる点を中心として説明する。
【００６０】
第３実施形態におけるインクジェット式記録装置では、第２実施形態におけるインクジェット式記録装置とは、バルブ３７及び、噴射切替手段の一例としてのバルブ制御手段３８を備えている点が異なっている。このバルブ３７は、バルブ制御手段３８の制御によって、整流用気流ＳＫの流路としてのダクト９３ａ，９３ｂのいずれか一方にのみ或いは両方に、ファン９９からの整流用気流ＳＫを供給する構成となっている。バルブ制御手段３８は、第２実施形態におけるファン制御手段９９ｙとほぼ同様な機能を有するファン制御手段９９ｚの制御により、バルブ３７の開閉を制御する構成となっている。
【００６１】
バルブ制御手段３８は、ファン制御手段９９ｚの制御によって、例えば気流が当接するキャリッジ１の側面Ｓ１，Ｓ２のいずれか一方のダクト９３ａ，９３ｂのみに対して整流用気流ＳＫを提供するように制御する。尚、第３実施形態では、第１実施形態や第２実施形態と同様に、例えば吸引切替手段の一例としてのバルブ制御手段３８の制御により、ファン９９によりキャリッジ１の走査に伴う気流Ｋに対して整流用気流ＳＫを噴射する代わり、その気流Ｋを吸引するようにしても良いことはいうまでもない。
この第３実施形態では、一例として、整流用気流ＳＫを噴射することを例示している。
このファン制御手段９９ｙは、検出手段３９からのキャリッジ１の走査方向に基づいて、キャリッジ１が気流に当接する一方のダクト９３ａの先端部９４ａ或いはダクト９３ｂの先端部９４ｂのみから、整流用気流ＳＫを噴射するようにバルブ制御手段３８を制御している。
【００６２】
本発明の第３実施形態によれば、第１実施形態とほぼ同様の効果を発揮することができるとともに、これに加えて、キャリッジ１の走査方向側における一方のダクト９３ａの先端部９４ａ或いはダクト９３ｂの先端部９４ｂから整流用気流ＳＫを噴射することにより、キャリッジ１が気流に当接する側面側においてキャリッジ１の走査方向に伴う気流Ｋを制御して、キャリッジ１の走査に伴う気流Ｋがキャリッジ１の記録ヘッド７，８と記録用紙６との間に生じさせないようにすることができる。
【００６３】
＜変形例＞
上記実施形態は、図１に示すいわゆるオンキャリッジタイプのインクジェット式記録装置のみならず、図１１に示すいわゆるオフキャリッジタイプの液体噴射装置の一例としてのインクジェット式記録装置１１０にも適用することができる。
このインクジェット式記録装置１１０においては、被記録物（上記実施形態における記録用紙に相当）を跨ぐように往復運動するキャリッジ４２、キャリッジ４２に載置されていて複数色のインクを被記録物に対して噴射して記録、書込みまたは印刷を行う記録ヘッド４４、互いに異なる色のインクを保持する複数のカートリッジ４５、及び液体導通材１００を備える。キャリッジ４２は、図示しないモータによって、ガイドシャフト４８に沿って往復移動される。
【００６４】
カートリッジ４５は、キャリッジ４２ではなく、インクジェット式記録装置１１０本体に固定されている。このキャリッジ４２の側面Ｓ１，Ｓ２には、それぞれ上述した機能と同様の機能を発揮するファン９９ａ（９９），９９ｂ（９９）が設けられている。尚、ファン９９ａ等は、上記実施形態と同様に、気流当接面の一例としての側面Ｓ１等のいずれか一方の側面にのみが設けられている構成であっても良いことはいうまでもない。液体導通材１０２は、長尺状であり、可撓性材料（例えば熱可塑性エラストマ）で形成されている。
【００６５】
液体導通材１０２は、所要数（本形態では複数）の流路を有しており、往復運動する記録ヘッド４４に対し、複数のカートリッジ４５のそれぞれが保持する複数色のインクを供給する。記録ヘッド４４は、液体噴射領域すなわち記録ヘッド４４の移動経路の下にある被記録物６に対し、インクを噴射して記録、書込み又は印刷を行う。ここでカートリッジ４５が保持する複数色のインクは、図示しない固定流路により、カートリッジ４５から液体導通材１０２の一端まで供給されている。
このいわゆるオフキャリッジタイプのインクジェット式記録装置１１０においては、ファン９９ａ等をキャリッジ４２に設ける形態のみならず、キャリッジ４２に、上記実施形態における図７に示すようなダクト９３ａ等を設けた形態であっても良いことはいうまでもない。
【００６６】
本発明は、上記実施の形態に限定されず、特許請求の範囲を逸脱しない範囲で種々の変更を行うことができる。例えば上記実施形態の各構成は、その一部を省略したり、上記とは異なるように任意に組み合わせることができる。また、移動手段の一例としての上記モータやタイミングベルトは、記録用紙に対してキャリッジを移動させることのみならず、例えば記録用紙の幅に対応させた記録ヘッドを有するラインヘッドなどのように、キャリッジを固定して記録用紙だけを移動させるようにしても良いことはいうまでもない。つまり、これらの移動手段は、キャリッジと記録用紙とを相対移動させるようになっている。
【００６７】
また、本発明は、インクジェット式記録装置に限らず、プリンタ等の画像記録装置に用いられる記録ヘッド、液晶ディスプレイ等のカラーフィルタの製造に用いられる色材噴射ヘッド、有機ＥＬディスプレー、ＦＥＤ（面発光ディスプレー）等の電極形成に用いられる電極材噴射ヘッド、バイオチップ製造に用いられる生体有機物噴射ヘッド等の液体を吐出する液体噴射ヘッドを用いた液体噴射装置、精密ピペットとしての試料噴射装置等にも適用することができる。
【図面の簡単な説明】
【００６８】
【図１】第１実施形態としてのインクジェット式記録装置の構成例を示す斜視図。
【図２】図１に示すインクジェット式記録装置の構成例を示す側面断面図。
【図３】図１に示すインクジェット式記録装置の動作を制御する制御装置の構成例を示すブロック図。
【図４】図１に示すキャリッジを側面から見た場合の構成例を示す側面図。
【図５】図１に示すキャリッジを側面から見た場合の構成例を示す側面図及び底面図。
【図６】キャリッジを側面から見た場合の構成例を示す側面図及び底面図。
【図７】第２実施形態としてのインクジェット式記録装置の構成例を示す斜視図。
【図８】インクジェット式記録装置の動作を制御する制御装置の構成例を示すブロック図。
【図９】図１に示すキャリッジを側面から見た場合の構成例を示す側面図。
【図１０】インクジェット式記録装置の動作を制御する制御装置の構成例を示すブロック図。
【図１１】本発明の実施形態の変形例を示すインクジェット式記録装置を側面側から見た場合の構成例を示す斜視図。
【符号の説明】
【００６９】
１・・・キャリッジ、２・・・タイミングベルト（移動手段）、３・・・モータ（移動手段）、６・・・記録用紙（記録媒体）、７，８・・・記録ヘッド（液体噴射ヘッド）、３７・・・バルブ、３８・・・バルブ制御手段（噴射切替手段、吸引切替手段）、３９・・・検出手段（速度検出手段、移動方向検出手段）、４２・・・キャリッジ、４４・・・記録ヘッド（液体噴射ヘッド）、６１・・・蓋（蓋部材）、９３ａ，９３ｂ・・・ダクト（風力制御手段、整流用気流噴射手段、気流吸引手段）、９４ａ，９４ｂ・・・ダクトの先端、９９，９９ａ，９９ｂ・・・ファン（風力制御手段、整流用気流噴射手段、気流吸引手段）、９９ｘ，９９ｙ，９９ｚ・・・ファン制御手段（風力制御手段、整流用気流噴射手段、気流吸引手段）、１００，１００ａ・・・インクジェット式記録装置（液体噴射装置）、Ｋ・・・キャリッジの走査に伴う気流（キャリッジの移動に伴う気流）、ＳＫ・・・整流用気流、Ｓ１，Ｓ２・・・側面（気流当接面）、Ｘ１，Ｘ２・・・走査方向（移動方向）
【図１】
2005119035.tif 000003
【図２】
2005119035.tif 000004
【図３】
2005119035.tif 000005
【図４】
2005119035.tif 000006
【図５】
2005119035.tif 000007
【図６】
2005119035.tif 000008
【図７】
2005119035.tif 000009
【図８】
2005119035.tif 000010
【図９】
2005119035.tif 000011
【図１０】
2005119035.tif 000012
【図１１】
2005119035.tif 000013